(57)【特許請求の範囲】
【請求項１】
変形可能な光学部を有する眼内挿入用レンズの前記光学部に応力をかけない状態で該レンズを保管するレンズパッケージと、挿入筒および前記レンズを該挿入筒を通して眼内に押出す押出し機構を有する眼内挿入用レンズの挿入器具とからなる眼内挿入用レンズの挿入システムであって、
前記レンズパッケージを前記挿入器具における前記押出し機構と前記挿入筒との間に装着させる装着機構を有し、
該装着されたレンズパッケージが前記挿入器具の機構の一部として作用することを特徴とする眼内挿入用レンズの挿入システム。
【請求項２】
前記レンズパッケージに、前記押し出し機構により押出される前記レンズを変形させる変形手段を設けたことを特徴とする請求項１に記載の眼内挿入用レンズの挿入システム。
【請求項３】
前記装着機構は、前記レンズの中心と前記押出し機構を構成する押出し軸の軸方向中心とが略一致するように前記挿入器具に対して前記レンズパッケージを位置決めすることを特徴とする請求項１に記載の眼内挿入用レンズの挿入システム。
【発明の詳細な説明】
【０００１】
【産業上の利用分野】
この発明は、白内障で水晶体を摘出した後に水晶体の代わりに挿入される、屈折異常を矯正する等の目的で眼内に挿入される眼内挿入用レンズを眼内に挿入するためのシステムに関するものである。
【０００２】
【従来の技術】
眼内挿入用レンズは、白内障手術の際に除去した水晶体（無水晶体眼）の屈折力を補うために水晶体の位置に挿入されるものが一般的であり、1949年にリドレイ（Ridley）により初めて移植されて以来、その素材、形状等についてさまざまな研究がなされてきた。
また、近年になってこのような白内障術後の屈折異常を矯正する目的以外に水晶体を持った眼（有水晶体眼）に対して近視、遠視の矯正のために眼内に挿入する屈折矯正用眼内挿入用レンズに関しても研究が進んでいる。
白内障手術に関しても、超音波乳化吸引術等の普及もあり小さい切開創で混濁した水晶体を除去する水晶体摘出手術が可能になっている。それらの進歩に伴い眼内挿入用レンズも例えば、特開昭58-146346 号公報に開示されている発明のように光学部が弾性体等の変形可能な素材で構成され、折畳んだ形状で小さな切開創から眼内に挿入し、眼内もとの形状に復元させることによってレンズとして機能させる眼内挿入用レンズが実用化されている。
これらの技術に伴い、光学部の素材も硬いポリメチルメタクリレート（PMMA）から、折畳んで眼内挿入可能なシリコーンやソフトアクリル樹脂に次第に移行している。
【０００３】
また、近年ではヒドロキシエチルメタクリレートとメチルメタクルレート等との共重合体やメタクリル酸−２−ヒドロキシエチル（HEMA）等の親水性材料も研究の対象となっている。
さらに、その形状も円形の光学部とは別素材で構成したループ状の支持部を持つもの、ループ状の支持部が光学部と同一素材で一体化したもの、支持部が板状のもの等さまざまなものが研究され実用化されている。
さらにまた、上記に示した変形可能な眼内挿入用レンズを圧縮したり、折り曲げたりして眼球内に挿入する挿入装置として、（１）特開平5-103803号公報に開示された発明がある。上記発明に記載されている実施例では、折畳まれたレンズを保持する保持部材を本体に取り付け、先端にある挿入筒から眼内に挿入する装置が開示されている。
また、（２）特開平7-23991 号公報に開示された発明には、器具本体に折畳まれたレンズを保持する部分が本体部と一体化されたものが使用され、全体が樹脂でできていて一回使いきりのディスポーザブルな挿入器具が開示されている。
さらに（３）特表平9-506285公報に開示された発明には、さらに応用を広げた眼内挿入用レンズの挿入器具が開示されている。この発明の眼内挿入用レンズの挿入器具によれば、中間準備領域に応力のない状態でレンズを保持し、中間準備領域が本体部を本体部に取り付けた上で、さらに眼内にレンズを挿入するカニューレ（挿入筒）をはめ込むことで、眼内レンズを眼内に挿入する装置が開示されていると共に、中間領域がレンズパッケージとして使用され得る技術が開示されている。
【０００４】
【発明が解決しようとしている課題】
しかしながら、上述した従来の（１）、（２）の発明に開示された眼内挿入用レンズの挿入器具に関しては、眼内挿入用レンズをパッケージから取り出して設置部に設置した後に変形させて眼内に挿入するために、実際の手術時には眼内挿入用レンズを挿入器具に設置する設置作業が必要となり、眼内挿入用レンズの挿入に伴う時間と手数がかかるという問題点があった。
また、眼内挿入用レンズおよび挿入器具は、創口から眼内に挿入されるため滅菌作業を経て無菌状態を保つ必要があるが、上記のような設置作業の際にレンズや挿入器具を術者の不注意により床，載置台等の不潔領域に落したりすることで無菌性が失われ、使用不能になるという問題点があった。
さらに、術者の不注意等により正常な状態でレンズの設置操作が行われずに、レンズを無理に挿入しようとして眼内挿入用レンズを破損したり挿入筒からレンズが勢い良く飛び出したりして眼内組織を損傷する危険性も考えられる。
【０００５】
さらにまた、上述した従来の（３）に開示された発明には、あらかじめ中間領域にレンズを設置してレンズパッケージとして使用する点が示されているが、カニューレ（挿入筒）部分が別部材であるため、使用の際にはカニューレを取り付ける作業が発生することになる。また、中間領域が本体部と一体に構成されており、設置されているレンズと挿入器具が1対1で対応するため、患者の状態や術式の違いなどにより挿入器具を急遽変更する場合、一旦中間領域からレンズを取り出して異なる挿入器具に設置し直すか、もしくは新たにレンズが設置された異なる挿入器具を使う必要があり、手間もしくは無駄が生ずることとなる。
【０００６】
本発明は、前述した問題点を解決しようとするもので、眼内挿入用レンズを保管しているレンズパッケージであるレンズケースを挿入器具の機構の一部として機能するように装着する構成を備えることで、レンズを挿入器具に設置する設置操作を不要とし、もしくは簡略化して設置操作に関わる時間を節約するばかりでなく、術者の誤操作等に伴うレンズの破損、あるいはレンズが正常に眼内に挿入されないという不具合を解消することができる眼内挿入用レンズの挿入システムの提供を目的としている。
また、本発明のさらなる目的は、複数の種類の眼内挿入用レンズおよび挿入器具において、レンズケースと挿入器具との装着部分を共通にしておくことにより、前述した利点を損なうことなく術者が術式、患者の状態等により自由に眼内挿入用レンズと挿入器具とを選択できる環境を備えた眼内挿入用レンズの挿入システムを提供することにある。
【０００７】
【課題を解決するための手段】
本発明の眼内挿入用レンズの挿入システムは、変形可能な光学部を有する眼内挿入用レンズの前記光学部に応力をかけない状態で該レンズを保管するレンズパッケージと、挿入筒および前記レンズを該挿入筒を通して眼内に押出す押出し機構を有する眼内挿入用レンズの挿入器具とからなる眼内挿入用レンズの挿入システムであって、前記レンズパッケージを前記挿入器具における前記押出し機構と前記挿入筒との間に装着させる装着機構を有し、該装着されたレンズパッケージが前記挿入器具の機構の一部として作用することを特徴とする。
このシステムにより眼内挿入用レンズを挿入器具に設置する設置操作を不要とし、もしくは非常に簡便化することができるばかりでなく、誤操作によるレンズ挿入の際の不具合も防止できる。また、このような利点を損なうことなく眼内挿入用レンズの挿入システムとしてレンズ、挿入器具の幅広い選択肢を提供することが可能となる。
【０００８】
なお、レンズパッケージに、押出し機構により押出されるレンズを変形させる変形手段を設けてもよい。
また、装着機構により、レンズの中心と押出し機構を構成する押出し軸の軸方向中心とが略一致するように挿入器具に対してレンズパッケージを位置決めさせてもよい。
【０００９】
【発明の実施の形態】
図１は、本発明に係る眼内挿入用レンズの挿入システムの概念を表す斜視図である。
本発明の前記システムは大きく分けて眼内挿入用レンズを保管するレンズパッケージであるレンズケース１０と眼内挿入用レンズ２０を患者の眼内に挿入する挿入器具３０により構成されている。
【００１０】
前記レンズケース１０は、レンズケーストップ１１およびレンズケースボトム１２からなり、両部材により眼内挿入用レンズ２０を保管する空間１５を形成するとともに、挿入器具３０としての機構の一部である左右方向に貫通された貫通穴１３が形成されている。前記挿入器具３０の先端部には装着部３５を介して挿入筒３２が形成され、その内腔を通して眼内挿入用レンズ２０を眼内に挿入するようになっている。また、前記挿入器具３０の筒本体３１の基端部３１ａには眼内挿入用レンズ２０を眼内に押出すための押出し軸３３の基端部と結合した押出し機構３4が形成されている。
【００１１】
前記レンズケース１０は、前記挿入器具３０の装着部３５に装着可能な寸法に形成されており、前記レンズケース１０のレンズケーストップ１１に突設した突起部１４と前記装着部３５に形成された係合穴３６により、該レンズケース１０が挿入器具３０の装着部３５に対して、レンズ５０の中心と押出し軸３３の軸方向中心とが略一致するように位置決め固定される。この状態で押出し軸３3を押出し機構３4により先端側に移動させれば、前記レンズケース１０内に設置した眼内挿入用レンズ２０を挿入筒３２の先端部３２ａより眼内に押出すことが可能となる。上記構成は、本発明の眼内挿入用レンズの挿入システムにおける、レンズパッケージであるレンズケース１０が挿入器具３０に装着され、かつ挿入器具３０の機構の一部として機能するという概念を包括するものである。
【００１２】
図２は、本発明の眼内挿入用レンズの挿入システムに係る第１の実施の形態を示す図であり、（ａ）は挿入器具３０にレンズケース１０が装着された状態をす正面図、（ｂ）は同じく底面図である。
図中、３０は眼内挿入用レンズの挿入システムにおける挿入器具で、透明又は半透明製のプラスチックなどで基端部３１ａ側を小径に且つ先端部３１ｂ側を大径に形成した内部中空の筒本体３１と、該筒本体３１の軸方向中心上に位置するように配設された押出し軸３３と、前記筒本体３１の基端部３１ａに取付けられ前記押出し軸３３の基端部と連結され、押出し軸３３を左右方向に移動させる押出し機構３４と、前記筒本体３１の先端部３１ｂに形成されたレンズパッケージであるレンズケース１０を装着する装着部３５と、該装着部３５の先端側に前記筒本体３１の軸心と一致する連通孔を有する先細の挿入筒３２が形成されたもので、挿入筒３２の先端部３２ａから眼内挿入用レンズ２０を小さく変形して押し出すようにしたものである。
【００１３】
３６は、装着部３５の水平部に形成された係合穴、３７は装着部３５の先端垂直壁面の後端部に形成したノッチで、前記係合穴３６とノッチ３７によりレンズケース１０を装着部３５に位置決め装着出来るようになっている。
【００１４】
前記レンズケース１０は、図３の（ａ）〜（ｄ）によく示されるように、眼内挿入用レンズ２０を載置するレンズケーストップ１１と、該レンズケーストップ１１に載置された眼内挿入用レンズ２０の上面を覆うように形成されたレンズケースボトム１２とを互いに組合わせて構成される。
図３の（ａ）はレンズケースの平面図、（ｂ）は同左側面図、(ｃ)は同右側面図、（ｄ）は前記（ａ）の１―１線断面図を表したものである。
【００１５】
前記レンズケーストップ１１の上面には、前記眼内挿入用レンズ２０の光学部２１の支持部２２、２２を設置する凹部１１ａが左右方向に連続して溝状に形成されると共に、下面には中央部より僅かに右側に片寄らせて前記装着部３５の係合穴３６に嵌合する突起１４が設けられている。また、前記レンズケーストップ１１の上面を覆うレンズケースボトム１２は、前記レンズケーストップ１１の上面及び前，後、左，右を覆って嵌合するように形成されたもので、左、右側壁１２ａ，１２ｂには貫通穴１３，１３が形成され、前記装着部３５に装着した時に、前記挿入器具３０の筒本体３１の軸方向中心とほぼ一致するようになっている。
【００１６】
前記レンズケース１０の具体的な設置手順は、眼内挿入用レンズ２０の光学部２１をレンズケーストップ11上の凹部１１ａに対応させて、前記凹部１１ａの縁部に前記光学部２１の支持部２２，２２を置き、レンズケースボトム１２を所定の空間１５をもたせてかぶせることで行われる。また、前記空間１５は眼内挿入用レンズ２０がその空間１５内で大きく移動しない程度の形状、大きさで構成される。さらに、前記空間1５は眼内挿入用レンズ２０の光学部２１がレンズケーストップ１１及びレンズケースボトム１２の裏面に接触しないような形状に構成され長期間眼内挿入用レンズ２０を保管する際に光学部２１に力がかかりその光学特性を変化させることを防止するようにしている。
【００１７】
前記レンズケース１０の貫通穴１３は、先端方向に向かって減少するように縮径されおり、眼内挿入用レンズ２０および押出し軸３３が通過するものであり、レンズケース１０を挿入器具３０に装着した後、操作時に押出し軸３３の左方向への移動によりレンズケース１０内の眼内挿入用レンズ２０が次第に小さく変形されて挿入筒３２内へ移動されると共に、挿入筒３２の先端部３２ａを眼内挿入用レンズ２０を挿入する眼球に作成された切開創に挿入した後、挿入筒３２でさらに小さく変形しながら眼内に眼内挿入用レンズ２０を押し出すようになっている。
これにより、レンズケース１０が挿入器具３０に装着された上で挿入器具３０の機構の一部機能を担うこととなる。
【００１８】
図３の（b）及び（ｄ）は前記レンズケース１０の貫通穴１３が先端方向に向けて次第に縮径する状態をよく示したものである。すなはち、（d）に示すレンズケース１０のレンズケーストップ１１に眼内挿入用レンズ２０が設置された状態での空間１５での横断寸法Ｃが、（ｂ）に示すように貫通穴１３の先端部での横断寸法Ｄのように減少方向に変化させることにより、眼内挿入用レンズ２０が押出し軸３３により貫通穴１３を移動途中で無変形状態から変形状態に移行することを可能とする。
【００１９】
なお、貫通穴１３先端部の形状を上下非対称にし、また貫通穴内に突出するレール１６を眼内挿入用レンズ２０の移動方向に形成することで、眼内挿入用レンズ２０が貫通穴１３を移動中にレンズを意図した形状に変形することが可能となる。
【００２０】
図４は、本発明の眼内挿入用レンズの挿入システムに係る第１の実施の形態における挿入器具３０とレンズケース１０とを分離した状態を示す正面図で、レンズケース１０の高さ寸法Ａに合わせて装着部３５の先端垂直面の後端部に形成したノッチ３７のノッチ機能によりレンズケース１０装着後に簡単には外れない構造となっている。また、レンズケース１０の突起部１４と装着部３５に設けられた係合穴３６は、はめ合い嵌合する形状、寸法で形成され両者の位置を固定することが可能となっている。これらの機構により、図２に示すようなレンズケース１０が挿入器具３０に装着される状態を可能にする。
【００２１】
また、前述の図４では、レンズケース１０を挿入器具３０の上方から装着部３５に装着する状態を例示しているが、特にこのような装着形態に限定するものではない。例えば、眼内挿入用レンズ２０を設置したレンズケース１０をレンズケーストップ１１の突起部１４を上面にして机上或いは載台上等に置き、挿入器具３０を反転させレンズケース１０に上方からかぶせるような装着方法によっても装着が可能である。
【００２２】
特に眼内挿入用レンズの挿入システムが使用される環境では無菌の環境が必要とされるため、実際の使用時に操作者は手袋等をはめた状態で作業をする必要があり、細かいものへの操作性が低下するため、レンズケース１０より大きく持ちやすい挿入器具３０を移動することで装着できることは、より好ましい操作形態といえる。
【００２３】
図５は、図２に示す本発明の眼内挿入用レンズの挿入システムに係る第１の実施の形態の変形例の底面図であり、装着部３５に設けられた係合穴３６の代わりに押出し軸３３と直交する方向に切欠いて設けられた係合溝３８を設けたもので、挿入器具３０の側方からレンズケース１０を装着し、ノッチ３９により固定可能な形態を示すものである。なお、前述以外の構成は、図２と同符号を付してその説明を省略する、
本実施の形態においても、前述の第１実施の形態と同様にレンズケース１０を下方に置き挿入器具３０を反転して上方からかぶせるような操作により装着することが可能であり、同様の効果が得られることは容易に判断される。
【００２４】
図６は、本発明の眼内挿入用レンズの挿入システムに係る第１の実施の形態における挿入筒３２の部分の変形例を示す正面図である。
この挿入筒３２は、先端部に向かってなだらかにその内腔を小さくしたテーパ形状を有し、押出し軸３３により挿入筒３２の基端部３２ｂより進入する眼内挿入用レンズ２０をさらに小さく変形させる構造としたものである。
【００２５】
以上、レンズパッケージであるレンズケース１０が挿入器具３０に装着されることで、挿入器具の機構の一部の機能を担う眼内挿入用レンズの挿入システムを示した。また、前述の実施の形態では、レンズケース１０と挿入筒３２の双方で眼内挿入用レンズ２０を変形させる変形手段を示したが、特にこれに限定することなく、レンズケース１０のみで眼内挿入用レンズ２０を眼内に挿入する小さな形状に変形させた上で、挿入筒３２の内腔を通過させて眼内に挿入する構成としたり、レンズケース１０には前記変形手段を形成することなく、変形手段を挿入筒３２に持たせる構成とするなど、容易に変更出来ることは勿論である。
【００２６】
なお、前述の実施の形態で使用された眼内挿入用レンズ２０は、光学部２１の両端に板状の支持部２２，２２が一体化されたものを使用したものについて説明している。
また、前記使用した眼内挿入用レンズ２０の中心とは、眼内挿入用レンズ２０を水平にした状態で、光学部２１の垂直中心を通る前後方向且つ厚さ方向の中心を指すものである。
【００２７】
図７以降は、本発明による眼内挿入用レンズの挿入システムに係る、第２の実施の形態を示すもので、本実施の形態においては、レンズパッケージとしてのレンズケース４０に設置した眼内挿入用レンズ５０の水平状態の前後方向中心と挿入器具３０の押出し軸３３の軸方向中心とが互いに一致していない状態で装着される第１の未使用状態と、眼内挿入用レンズ５０が押出し軸３３により押出し可能な位置に移動した第２の使用状態および前記第１から第２の状態に遷移させる機構により構成されていること示している。
図７の（ａ）はレンズケース４０を挿入器具３０に装着して前記第１の未使用状態を示す正面図、（ｂ）は第２の使用状態を表した正面図である。
【００２８】
図７の(ａ)ではレンズの中心が一点鎖線Ｌで表す押出し軸３３の軸方向の中心とが一致しない状態で配置されていることがわかる。眼内挿入用レンズ５０は、レンズケース４０内で図７の(ａ)に示す第１の未使用状態で保管されている。図７の(ｂ)は、前記第１の未使用状態からレンズケーストップ４１の押部材４３を紙面下方に押し込んで眼内挿入用レンズ５０を押出し、軸３３の軸方向中心とほぼ一致する第２の使用状態に移動させた様子を表している。この第２の使用状態では、筒本体３１の基端部３１ａ側に設けられた押出し機構３４により押出し軸３３を先端側に移動することで眼内挿入用レンズ５０を挿入筒３２の先端部３２ａより眼内に押し出すことが可能となる。
【００２９】
図８は、図７に示すレンズケース４０と挿入器具３０とを分離した状態を示すもので、（ａ）は挿入器具３０の正面図、（ｂ）はレンズケース４０の正面図、（ｃ）は（ｂ）の拡大平面図、（ｄ）は（ｃ）の２―２線断面図である。
図８の(ａ)に示す挿入器具３０には予め装着部３５が装着されている。また、図８の(ｂ)に示すレンズケース４０は、例えば円形の光学部５１とは別素材で構成したループ状の支持部５２，５２を有する眼内挿入用レンズ５０の支持部５２，５２と光学部５１との角度θを保持するために、前後方向に左右方向に伸びる角度θの傾斜面４２ａをもったレンズケースベース４２の係止部４２ｂ上にレンズ５０を置き、レンズケースベース４２の傾斜面４２ａと合わさる角度を底面４１ｂに形成したレンズケーストップ４１で支持部５２，５２を挟み込む構造を有している。図８の(ｃ)はレンズケース４０を上面から見た平面図である。
【００３０】
前記第２の実施の形態によるレンズケース４０は、レンズケースベース４２押圧部材４３を備えたレンズケーストップ４１とから構成されている。前記レンズケースベース４２は、図９に示すように、上面に開口部４２ｃを有し、且つ、前，後側壁４２ｄ，４２ｄの下端部にそれぞれ前記装着部３５の前，後側面下端近傍外周面に形成した係止段部３８と弾撥的に結合する突状４２ｅ，４２ｅを形成した左右方向開口の断面コ字状に構成されると共に、前記前，後側壁４２ｄ，４２ｄの内面ほぼ中央部には、眼内挿入用レンズ５０の支持部５２，５２及び光学部５１の外周を載置させる左右方向に伸びる一対の係止部４２ｂが形成されている。そして、前記係止部４２ｂは、図８（ｄ）に示すように、眼内挿入用レンズ５０の支持部５２，５２と光学部５１との角度θを保持するために、角度θを有する傾斜面４２ａが形成されたものである。
【００３１】
一方、前記レンズケースベース４２の上面開口部４２ｃに挿入されるレンズケーストップ４１は、中空矩形の角筒状に形成した挟持部４１ａとこの挟持部４１ａに上下方向移動可能に配設される押圧部材４３とから構成されている。前記挟持部４１ａの底面４１ｂは前記レンズケースベース４２の係止部４２ｂの傾斜面４２ａと同様傾斜面４１ｂが形成されていると共に、前後方向の内壁面４１ｃには、互いに対峙させて所定の間隔で上，下に一対の凹部４１ｄ，４１ｅが形成されている。
４３は押圧部材で、前記挟持部４１ａの開口部４１ｆより挿入されて、前記眼内挿入用レンズ５０を未使用状態から使用状態に移動させるためのものである。押圧部材４３は、大径の頭部４３ａと、この頭部４３ａに連続する角柱状の脚部４３ｂとから構成されると共に、脚部４３ｂの下端近傍外面には突子４３ｃが形成され、前記挟持部４１ａの凹部４１ｄ，４１ｅのいずれかに係合するようになっている。すなわち、未使用状態では、凹部４１ｄと、使用状態では押圧によって移動し凹部４１ｅと係合する。また脚部４３ａの底面には凹面４３ｄが形成され、該凹面４３ｄには眼内挿入用レンズ５０の外周部を保持する突起４３ｆが形成されたものである。
【００３２】
以上のように構成された本発明の第２実施の形態によれば、図１０の（ａ）に示す第１の未使用状態より第２の使用状態にするには、レンズケース４０のレンズケースベース４２とレンズケーストップ４１に挟み込まれたレンズ５０をレンズケーストップ４１押圧部材４３の大径の頭部４３ａを下方に押圧移動させることにより装着部３５の凹状に湾曲した溝状のレンズ移動部３９へ眼内挿入用レンズ５０を移動させ、眼内挿入用レンズ５０の外周部を前記湾曲凹部３９ａの開口突縁３９ｂの裏面に係止させる。この移動によりレンズ５０中心と不図示の押出し軸３３の軸方向中心とがほぼ一致する状態となり、押出し軸３３を移動することでレンズ移動部３９内の空間１５を紙面垂直方向に移動して装着部３５に一体に設けた挿入筒３２の内腔を通過した後、眼内に押し出される。なお、前記押部材圧４３は、突子４３ｃが押圧によって移動して凹部４１ｅと係合することで、レンズ移動部３９へ移動させた眼内挿入用レンズ５０の復元を防止し、位置決めが確実にできる。
【００３３】
また、レンズ移動部３９へレンズ５０が移動した状態を確認することができるようにレンズケース４０は透明または、半透明であることが望ましい。
また、本図によりレンズケーストップ４１の下方の面と、装着部３５に形成したレンズ移動部３９との間に、眼内挿入用レンズ５０が移動する空間１５を形成していることも確認できる。すなわち、レンズケーストップ４１の押圧部材４３は、レンズ５０を下方に移動させる機能と、装着部３５との組合せによりレンズ移動空間１５を形成するという、２通りの機能を果すこととなる。
【００３４】
以上のように、この第２実施の形態におけるレンズケースベース４２，挟持部４１ａ及び押圧部材４３を備えたレンズケーストップ４１で構成されるレンズケース４０は、挿入器具３０に組み込んで挿入器具３０の機構の一部として機能するものである。
また本図は眼内挿入用レンズ５０を小さく変形させる変形手段の一部をレンズケース４０と一体に構成したことを特徴とすることも説明することができる。
【００３５】
レンズ移動部３９が湾曲の溝状としていることと、レンズケーストップ４１でレンズ５０をレンズ移動部３９へ押し付けながら移動させること、及びレンズ移動部３９の寸法Ｊとレンズ５０の寸法Ｋにより、Ｊ寸法よりＫ寸法が長いこと、の３点から、レンズ５０が装着部３５のレンズ移動部３９へ移動した際に、変形手段の一部をレンズケース４０と一体に構成したことを確認できる。
【００３６】
図１１は本発明の第２実施の形態を示す図７の変形例を示すもので、レンズケース４０と挿入器具３０が分離された形態を示す正面図である。
この変形例においては、図７で説明したレンズケース４０を挿入器具３０の装着部３５に上方より装着したものに代えて、レンズケース置台６０に前記レンズケース４０を反転して置き、挿入器具３０を反転させて挿入器具３０の装着部３５を上方からレンズケース４０のレンズケースベース４２に弾撥的に係合装着させる機構を示したたものであり、その他の構成は前記第２実施の形態と同様である。
【００３７】
尚、使用時には手袋等をはめることで、細かいものへの操作性が低下するため、レンズケース４０より大きく持ちやすい挿入器具３０を手で持ち、レンズケース４０を下方に置き、挿入器具３０を上方から装着させることの方が好ましい。
【００３８】
図１２は、本発明の第２実施の形態を示す図７のさらに異なる変形例を示すもので、特にレンズケースのレンズケースベース部を変形した構成を示す、図１０相当図である。
この実施形態によるレンズケース７０のレンズケースベース７２は、上面に開口部７２ａを有し、且つ前，後側壁７２ｂ，７２ｂのいずれか一方に前記装着部３５を嵌合するレンズ挿入方向と直交する方向の係合溝７２ｃを形成したもので、前記装着部３５にレンズケースベース７２を装着した状態では、前記前，後側壁７２ｂ，７２ｂのいずれか一方の内壁面と係合溝７２ｃに開口部に構成した突縁７２ｄとによって位置決め装着されるようになっており、挿入器具３０の前後方向よりレンズケース７０を装着させることが可能となる。
【００３９】
また、レンズケース７０を載台に置き、挿入器具３０を手でもちレンズケース７０の係合溝７２ｃの開口方向から装着させることが可能であることは、当該事業者であれば、容易に判断される。
尚、使用時には手袋等をはめることで、細かいものへの操作性が低下するため、レンズケース７０より大きく持ちやすい挿入器具３０を手で持ち、レンズケース７０を下方に置き、挿入器具３０を前後方向のいずれか一方から装着させることの方が好ましい。
【００４０】
尚、前記以外の構成については、第２実施の形態と同様であり、挿入器具３０の使用時には、レンズケーストップ７１の押圧部材７３を押し下げて、眼内挿入用レンズ５０を装着部３５のレンズ移動部３９内に位置させ、押出し軸３３により挿入筒先端部より眼内に挿入できる。
【００４１】
図１３は、本発明の第２実施形態の挿入器具３０の挿入筒３２部分の変形例を示す平面図である。
この変形例では、挿入筒３２と挿入器具３０の装着部３５を一体に形成したもので挿入筒３２の基端側に変形手段である眼内挿入用レンズの変形用の溝状の湾曲凹部３９ａを形成したものである。
【００４２】
【発明の効果】
以上説明したように、本発明によれば、眼内挿入用レンズをレンズケースから取り出して挿入器具に設置するという設置操作を不要とし、もしくは簡便化することが可能となるばかりでなく、誤操作を未然に防ぎ安全性を向上させることができ、さらには眼内挿入用レンズと挿入器具の選択肢を増やすことで術式、患者の状態に応じて最適な眼内挿入用レンズの挿入システムを提供することができる。
【００４４】
また、レンズパッケージに、押出し機構により押し出されるレンズを変形させる変形手段を設ければ、眼内挿入用レンズをレンズパッケージ内での移動中に意図した形状に変形させることが可能となる。
【００４５】
さらに、装着機構により、眼内挿入用レンズの中心と押出し機構を構成する押出し軸の軸方向中心とが略一致するように挿入器具に対してレンズパッケージを位置決めさせることにより、レンズパッケージを挿入器具に装着するだけで眼内挿入用レンズを押出し機構による押出しが可能な状態とすることができる。
【図面の簡単な説明】
【図１】本発明に係る眼内挿入用レンズの挿入システムの概念を表す斜視図である。
【図２】本発明の眼内挿入用レンズの挿入システムに係る第１の実施の形態を示す図であり、（ａ）は挿入器具３０にレンズケース１０が装着された状態をす正面図、（ｂ）は同じく底面図である。
【図３】図２のレンズケースを示すもので、（ａ）は平面図、（ｂ）は左側面図、(ｃ)は右側面図、（ｄ）は前記（ａ）の１―１線断面図を表したものである。
【図４】本発明の眼内挿入用レンズの挿入システムに係る第１の実施の形態における挿入器具３０とレンズケース１０とを分離した状態を示す正面図である。
【図５】図２に示す本発明の眼内挿入用レンズの挿入システムに係る第１の実施の形態の変形例を示すもので、（ａ）は挿入器具の底面図、（ｂ）はレンズケースの底面図である。
【図６】本発明の第1の実施の形態における挿入筒部分の変形例の正面図である。
【図７】本発明による眼内挿入用レンズの挿入システムに係る第２の実施の形態を示すもので、（ａ）はレンズケース４０を挿入器具３０に装着して前記第１の未使用状態を示す正面図、（ｂ）は第2の使用状態を表した正面図である。
【図８】図７に示すレンズケース４０と挿入器具３０とを分離した状態を示すもので、（ａ）は挿入器具３０の正面図、（ｂ）はレンズケース４０の正面図、（ｃ）は（ｂ）の拡大平面図、（ｄ）は（ｃ）の２―２線断面図である。
【図９】図８のレンズケースの３―３線に沿う断面図で、（ａ）は未使用状態の断面図、（ｂ）は使用状態の断面図である。
【図１０】本発明による眼内挿入用レンズの挿入システムに係る第２の実施の形態を示すもので、（ａ）は図７(ａ)における４―４線に沿う断面図、（ｂ）は図７(ｂ)における５―５線に沿う断面図である。
【図１１】本発明の第２実施の形態を示す図７の変形例を示すもので、レンズケース４０と挿入器具３０が分離された形態を示す正面図である。
【図１２】本発明の第２実施の形態を示す図７のさらに異なる変形例を示すもので、レンズケースのレンズケースベース部分を変形した構成を示す、図１０相当図である。
【図１３】本発明の第２実施形態の挿入器具３０の挿入筒３２部分の変形例を示す平面図である。
【符号の説明】
１０    レンズケース（レンズパッケージ）
１１    レンズケーストップ
１２    レンズケースボトム
１３    貫通穴
１４    突起部
１５    空間
２０，５０    眼内挿入用レンズ
２１，５１    光学部
２２，５２    支持部
３０    挿入器具
３１    筒本体
３１ａ  基端部
３１ｂ  先端部
３２    挿入筒
３２ａ  挿入筒部の先端部
３３    押出し軸
３４    押出し機構
３５    装着部
３６    係合穴
３９    装着部のレンズ移動部
３９ａ  湾曲面
３９ｂ  突縁
４０    レンズケース（レンズパッケージ）
４１    レンズケーストップ
４１ａ  挟持部
４２    レンズケースベース
４２ｃ  開口部
４２ｂ，４２ｂ    係止部
４２ｅ  突状
４２ｄ，４２ｄ    前，後壁面
４３    押圧部材
４３ａ  大径の頭部
４３ｂ  脚部
４３ｃ  突子
【図１】
0003728155.tif 000002
【図２】
0003728155.tif 000003
【図３】
0003728155.tif 000004
【図４】
0003728155.tif 000005
【図５】
0003728155.tif 000006
【図６】
0003728155.tif 000007
【図７】
0003728155.tif 000008
【図８】
0003728155.tif 000009
【図９】
0003728155.tif 000010
【図１０】
0003728155.tif 000011
【図１１】
0003728155.tif 000012
【図１２】
0003728155.tif 000013
【図１３】
0003728155.tif 000014